(57)【特許請求の範囲】
【請求項１】
略矩形の吹き出し口（２１）を有する空気調和装置（１０）であって、
前記吹き出し口（２１）に長手方向に沿って設けられ、前記長手方向の略両端部と前記両端部の間の中間部とで前記吹き出し口（２１）に支持された弾性を有する風向変更羽根（３５）と、
前記風向変更羽根（３５）の中間部を支持し、前記吹き出し口（２１）の長辺のうちの一方の側に一端が固定された中間支持部（４６）と、
を備え、
前記中間支持部（４６）の他端には、前記吹き出し口（２１）の他方の長辺に対して僅かな隙間をあけて配置された板状の受け部（４６ｄ）が設けられている、
空気調和装置（１０）。
【請求項２】
前記風向変更羽根（３５）の両端部及び中間部には、前記長辺と交差する方向にそれぞれ延びるブラケット（４１ｂ），（４２ｂ）と、前記ブラケット（４１ｂ），（４２ｂ）の先端に前記長辺に沿ってそれぞれ配置された支持軸（４１ｃ），４２ｃ）とが設けられ、前記両端部の支持軸（４１ｃ）はそれぞれ外方に突出し、前記中間部の支持軸（４２ｃ）は前記長辺方向の一方向に突出している、
請求項１に記載の空気調和装置（１０）。
【請求項３】
前記隙間は、２ｍｍ〜１０ｍｍの隙間である、
請求項１または２に記載の空気調和装置（１０）。
【請求項４】
前記受け部（４６ｄ）は、前記吹き出し口（２１）の長辺に沿って延びる、
請求項１から３のいずれかに記載の空気調和装置。
【請求項５】
前記受け部（４６ｄ）は、前記吹き出し口（２１）の奥行き方向に沿って延びる、
請求項１から４のいずれかに記載の空気調和装置。
【請求項６】
前記受け部（４６ｄ）は、前記中間支持部（４６）と直交している、
請求項１から５のいずれかに記載の空気調和装置。
【発明の詳細な説明】
【０００１】
【発明の属する技術分野】
本発明は、空気調和装置、特に、略矩形の吹き出し口を有する空気調和装置に関する。
【０００２】
【従来の技術】
空気調和装置の一例として、天井吊形の室内機が従来より提供されている。この天井吊形の室内機には、略矩形の吹き出し口を前面に有し天井に吊り下げ可能な本体ケーシングと、空気を吸い込んで吐き出す多翼形のファンと、熱交換器とが設けられている。
【０００３】
本体ケーシングは、主に天板部と、天板部に対向して配置された底板部と、前面、両側面及び底面を覆う化粧用の合成樹脂製の化粧部材とを有している。天板部は天井に吊り下げ金具により吊り下げられる。化粧部材は、天板部及び底板部にねじ止めされている。
吹き出し口には、上下に揺動する１又は複数の風向変更羽根が設けられている。風向変更羽根は、両端が本体ケーシングにたとえばねじ止めされた軸受により揺動自在に支持されている。吹き出し口の長手方向が長い場合には風向変更羽根の長さも長くなる。このため、風向変更羽根は、両端だけではなく中間部も本体ケーシングにねじ止め固定された中間支持部により揺動自在に支持されている。
【０００４】
このような室内機では、ファンを回転させることによって、本体ケーシングの吸い込み口から空気が本体ケーシング内部に導入され、熱交換器で空気と冷媒との間で熱交換が行われて温度調節され、温度調節された空気が吹き出し口から室内に送り込まれる。また、風向変更羽根を揺動させることにより風向を上下に変更することができる。
【０００５】
このような構成の室内機では、メンテナンスのために風向変更羽根を取り外すことがある。風向変更羽根を取り外す場合には、従来、両端のいずれかの化粧用の側板を止めているねじをドライバーを用いて外し、さらに軸受を止めているねじを外して風向変更羽根を左右方向にずらして取り外す。
【０００６】
【発明が解決しようとする課題】
前記従来の構成では、風向変更羽根を取り外すためには、室内機の化粧用の側板を外しさらに軸受を外さなければならない。このため、側板や軸受に装着されたねじを外すためのドライバーを使用可能なメンテナンス空間が室内機の側面に必要になる。また、側板や軸受を外すためにドライバーを用意し、さらに２つの部材を取り外す必要がある。このため、室内機の取付場所が制限されるとともに、風向変更羽根を着脱するための作業が煩わしいものになる。
【０００７】
本発明の課題は、矩形の吹き出し口を有する空気調和装置において、風向変更羽根の着脱を容易にしかつ取付場所の制限を少なくすることにある。
【０００８】
【課題を解決するための手段】
請求項１に係る空気調和装置は、略矩形の吹き出し口を有する装置であって、風向変更羽根と、中間支持部とを備えている。風向変更羽根は、吹き出し口に長手方向に沿って設けられ、長手方向の略両端部と両端部の間の中間部とで吹き出し口に支持された弾性を有するものである。中間支持部は、風向変更羽根の中間部を支持し、吹き出し口の長辺のうちの一方の側に一端が固定されたものである。また、中間支持部の他端には、吹き出し口の他方の長辺に対して僅かな隙間をあけて配置された板状の受け部が設けられている。
【０００９】
ここでは、中間支持部を一端だけで固定するとともに、中間支持部の他端に板状の受け部を設けているため、輸送時などに装置を積み重ねて吹き出し口に荷重が作用しても、受け部と他方の長辺との僅かな隙間がなくなると受け部で荷重を受けることができるので、輸送時などに荷重が作用しても装置が弾性変形範囲内での変形に抑えられる。また、中間支持部の他端と吹き出し口の他方の長辺との間に隙間があいているので、中間支持部を容易にたわませることができる。
【００１０】
請求項２に係る空気調和装置は、請求項１の装置において、風向変更羽根の両端部及び中間部には、長辺と交差する方向にそれぞれ延びるブラケットと、ブラケットの先端に長辺に沿ってそれぞれ配置された支持軸とが設けられ、両端部の支持軸はそれぞれ外方に突出し、中間部の支持軸は長辺方向の一方向に突出している。この場合には、両端部で支持軸はそれぞれ異なる方向に突出しており、中間部ではいずれか一方に突出している。このため、少なくとも一つの支持軸が他と異なる方向に突出するので、風向変更羽根が吹き出し口から外れにくくなる。
【００１１】
請求項３に係る空気調和装置は、請求項１または２の装置において、吹き出し口の他方の長辺と受け部との間の隙間が、２ｍｍ〜１０ｍｍの隙間である。
【００１２】
請求項４に係る空気調和装置は、請求項１から３のいずれかの装置において、受け部は、吹き出し口の長辺に沿って延びる。
請求項５に係る空気調和装置は、請求項１から４のいずれかの装置において、受け部は、吹き出し口の奥行き方向に沿って延びる。
請求項６に係る空気調和装置は、請求項１から５のいずれかの装置において、受け部は、中間支持部と直交している。
【００１３】
【発明の実施の形態】
図１及び図２は、本発明の一実施形態としてのエアコンの天井吊形の室内機１０を示したものであり、図１は断面側面図、図２は断面平面図である。
この室内機１０は薄型箱状の本体ケーシング１１を有している。そして、本体ケーシング１１の内部には、４つのファン１２、熱交換器１３、及びファン１２駆動用のモータ１４が設けられている。
【００１４】
本体ケーシング１１は、全体として左右に長い薄型箱形状であり、後方部側から前方部側にかけて厚みが薄くなるように前部下面側がアール面に形成されている。本体ケーシング１１の後部底面には、空気を吸い込む吸い込み口２０が設けられ、前面には熱交換された空気を室内に吹き出すための吹き出し口２１が設けられている。
【００１５】
本体ケーシング１１は、天井に吊り下げ可能な天板部２２と、天板部２２の前側に対向して配置される底板部２４と、天板部２２の後側に対向して配置されるグリルカバー２５とを有している。天板部２２は、１対の側面と背面とが板金加工により折り曲げて形成された金属製の板状部材である。グリルカバー２５は開閉自在に天板部２２に装着されており、吸い込み口２０を構成している。また、本体ケーシング１１の底板部２４とグリルカバー２５との間には、ファン１２を装着するための左右に長く縦に配置されたファン仕切板２６が設けられている。このファン仕切板６により本体ケーシング１１の内部空間が前後２つの空間に区画されている。
【００１６】
本体ケーシング１１の前面部、側面部及び下面部は、合成樹脂製の複数の化粧部材２７により覆われている。この化粧部材２７の前部に略矩形で左右に長い吹き出し口２１が設けられている。天板部２２の吹き出し口２１の内側に位置する前側内部には、たとえば発泡スチロール製の断熱部材３０が左右の略全長にわたって装着されている。また、底板部２４の内部には、たとえば発泡スチロール製のドレンパン３１が装着されている。これらの本体ケーシング１１の前面部、化粧部材２７、断熱部材３０の前部及びドレンパン３１の前部により吹き出し口２１が構成されている。吹き出し口２１には、上下に揺動する第１フラップ（風向変更羽根の一例）３５と、左右に揺動する複数の第２フラップ３６とが設けられている。
【００１７】
第１フラップ３５は、図３及び図４に示すように、弾性を有する合成樹脂製のフラップ本体４０と、フラップ本体４０の略両端部に固着された１対の端部部材４１と、フラップ本体４０の中間部に固着された中間部材４２とを有している。フラップ本体４０は、左右方向に長く前後方向に僅かに上方に凸に湾曲した板状部材である。端部部材４１及び中間部材４２は、フラップ本体４０の下方に配置され吹き出し口２１の長手方向に沿う第１軸Ｘ１周りにフラップ本体４０を揺動自在に本体ケーシング１１に装着するための部材である。端部部材４１及び中間部材４２は、フラップ本体４０を挟み込むためのＵ字形状の挟持部４１ａ，４２ａと、挟持部４１ａ，４２ａから下方に延びるアーム部４１ｂ，４２ｂと、アーム部４１ｂ，４２ｂの先端に第１軸Ｘ１方向に突出する支持軸４１ｃ，４２ｃとを有している。ここで、１対の支持軸４１ｃは、それぞれ外方に突出しており突出方向が逆である。支持軸４２ｃは、右側の支持軸４１ｃと同じ方向に突出している。このように支持軸４１ｃ，４２ｃのいずれかの突出方向が異なるので、第１フラップ３５は、本体ケーシング１１から脱落することがない。
【００１８】
１対の支持軸４１ｃは、本体ケーシング１１の両端内側に設けられた１対の軸受４５により支持されている。図４右側の軸受４５に近接して第１フラップ３５を第１軸Ｘ１回りに揺動駆動する揺動駆動機構４８が設けられている。揺動駆動機構４８は、図４右側の端部部材４１に連結されたリンク機構とモータとを有しており、モータの回転により第１フラップ３５を揺動させる。
【００１９】
支持軸４２ｃは、本体ケーシング１１に吊り下げ固定された支持ブラケット（中間支持部の一例）４６により支持されている。支持ブラケット４６は弾性を有する合成樹脂製であり、断熱部材３０に埋め込まれた取付金具４７により吹き出し口２１に一端が固定されている。支持ブラケット４６は、取付金具４７にねじ止めされる一端側の固定部４６ａと、固定部４６ａから図３下方の他端側に延びる脚部４６ｂと、脚部４６ｂから前方に延びるアーム部４６ｃと、脚部４６ｂの下端（他端側）に形成された受け部４６ｄとを有している。固定部４６ａは、板状の部分であり吹き出し口２１を構成する断熱部材３０の前部に固定されている。脚部４６ｂは、固定部４６ａから後方に凸に湾曲し湾曲後下方に延びている。アーム部４６ｃは、脚部４６ｂの下部から前方に延びており、延びた先端に支持軸４２ｃを支持する筒状の軸受部４６ｅが形成されている。受け部４６ｄは、吹き出し口２１を構成するドレンパン３１の前部に僅かな隙間をあけて配置された矩形板状の部分であり、具体的には、ドレンパン３１の前部に対して２ｍｍ〜１０ｍｍの隙間をあけて配置されている。ここで、受け部４６ｄとドレンパン３１の前部との間に隙間を設けたのは、第１フラップ３５の脱着時に脚部４６ｂをたわませることができるようにするためである。このような受け部４６ｄを設けることにより、天地を逆にして室内機１０を輸送するときに吹き出し口２１部分に荷重が作用しても、吹き出し口２１が変形して隙間がなくなれば支持ブラケット４６で荷重を受けることができる。このため、吹き出し口２１が左右に長く開口していても室内機１０が輸送中に損傷しにくくなる。
【００２０】
このような構成の第１フラップ３５は、メンテナンス時に工具を使わずに簡単に外せるように工夫されている。すなわち、第１フラップ３５を外す場合には、図４（ｂ）に示すように、支持ブラケット４６の脚部４６ｂの先端、つまり受け部４６ｄを持って図４右方にたわませて支持軸４２ｃを軸受部４６ｅから外す。つづいて、フラップ本体４０の中央を持って上方にたわませて両端の支持軸４１ｃを軸受４５から外す。これにより、全ての支持軸４１ｃ，４２ｃが外れるので第１フラップ３５が本体ケーシング１１から外れる。ここでは、支持ブラケット４６を一端だけで固定しているとともに、第１フラップ３５及び支持ブラケット４６を弾性を有する素材で形成しているので、支持ブラケット４６や第１フラップ３５をたわませることができるとともに、たわませてもそれらが変形したり損傷したりする不具合が生じにくい。このため、工具を使わずに第１フラップ３５を簡単に脱着できる。
【００２１】
複数の第２フラップ３６は、ドレンパン３１の前部に埋め込まれた支持金具（図示せず）に第１軸Ｘ１の後方で第１軸Ｘ１と食い違う第２軸Ｘ２回りに揺動自在に支持されている。複数の第２フラップ３６は、たとえば３つの組みに分かれて連動して揺動するように構成されている。
４つのファン１２は、それぞれ多翼形のシロッコファンであり、熱交換器１３や吹き出し口２１と平行に並べて配置されている。各ファン１２は、ファン仕切板２６に固定されており、それぞれモータ１４に連結されて駆動される。ファン１２は、本体ケーシング１１の吸い込み口２０から空気を本体ケーシング１１の内部に導入し、熱交換された空気を吹き出し口２１から吹き出すために設けられたものである。駆動用のモータ１４はファン支持台１４ａによりファン仕切板２６に支持されている。
【００２２】
ファン１２の吹き出し部１２ａの下方、つまりファン１２の舌部１２ｂ側には、整流板５０が設けられている。整流板５０は、ファン仕切板２６に基端が固定されており、先端が熱交換器１３に向けて延びている。整流板５０は、途中で熱交換器１３の下端側に折れ曲がっており、その折れ曲がった先端は熱交換器１３に接触しない位置に延びている。整流板５０の下方には空間が形成されている。この空間にファン１２から吹き出され熱交換器１３に衝突して戻ってきた空気が導かれ、ファン１２に空気が逆流しなくなる。このため、ファン１２により生じる騒音を減少させることができる。
【００２３】
熱交換器１３は、内部を冷媒が循環する構造となっており、上部が吹き出し口２１側に傾斜するように配置されている。このように、熱交換器１３を傾斜して配置することにより、熱交換面積を広く確保しながら、縦（上下）方向の寸法（厚み）を抑えることができる。熱交換器１３は、内部を冷媒が通流する冷媒配管１３ａと、冷媒通流方向に並べて配置され冷媒配管１３ａが貫通する多数のフィン１３ｂとを有している。冷媒配管１３ａは、ヘアピン状に折り曲げられた銅パイプにより構成されている。フィン１３ｂは、平行四辺形のアルミニウム薄板製のものであり、その上側の先端角部１３ｃ、つまり吹き出し口２１の長手方向に沿う先端角部のうち天井側に配置される鋭角の先端角部１３ｃが吹き出し口２１の上方に配置されている。冷媒配管１３ａは、図示しない外部配管を介して室外機に接続されている。
【００２４】
フィン１３ｂの先端角部１３ｃには、カバー部材５１が装着されている。カバー部材５１は、熱交換器１３の左右方向の全長を保護可能な長さを有しており、先端角部１３ｃに沿うような折り曲げられた山形の断面形状を有している。カバー部材５１は、たとえばアルミニウム材を押し出し成形して山形に形成された金属製の板状の部材であり、フィン１３ｂの先端角部１３ｃが吹き出し口２１から見えないようにするために設けられている。カバー部材は、フィン１３ｂの上辺に取り付けられたシール部材５２によりフィン１３ｂに取り付けられている。シール部材５２は、所定の厚みを有し、フィン１３ｂ側に粘着面を有する圧縮可能な粘着テープ状のものであり、断熱部材３０と熱交換器１３との隙間をシールするために設けられている。
【００２５】
このようなカバー部材５１でフィン１３ｂの先端角部１３ｃを覆うことで、前後の寸法を小さくするために熱交換器１３を吹き出し口２１に近づけても熱交換器１３が直接見えなくなる。このため、小型軽量化を図っても熱交換器１３が目立たないようになる。しかも、熱交換器１３を本体ケーシング１１に組み込む前にカバー部材５１を先端角部１３ｃに装着すれば、熱交換器１３の先端角部１３ｃが保護されて組み立て時に先端角部１３ｃが損傷しにくくなる。
【００２６】
このように構成された室内機１０では、ファン１２が回転すると吸い込み口２０から空気が吸い込まれて吹き出し口２１から室内に吹き出される。この空気通路の途中で熱交換器１３を通過した空気と冷媒とで熱交換される。そして第１フラップ３５を揺動駆動機構４８により上下に揺動させることにより、風向を上下に振ることができ、室内の温度むらを抑えることができる。
【００２７】
メンテナンス時に第１フラップ３５を取り外すときには、前述したように、支持ブラケット４６の脚部４６ｂの先端を持って図４右方にたわませて支持軸４２ｃを軸受部４６ｅから外す。つづいて、フラップ本体４０の中央を持って上方にたわませて両端の支持軸４１ｃを軸受４５から外す。これにより、全ての支持軸４１ｃ，４２ｃが外れるので第１フラップ３５が本体ケーシング１１から外れる。逆に装着するときには、フラップ本体４０の中央を持って上方にたわませて両端の支持軸４１ｃを軸受４５に入れる。つづいて、支持ブラケット４６の脚部４６ｂの先端を持って図４右方にたわませて支持軸４２ｃを軸受部４６ｅに挿入する。これにより、第１フラップ３５が本体ケーシング１１に装着される。
【００２８】
ここでは、支持ブラケット４６を一端だけで固定しているとともに、第１フラップ３５及び支持ブラケット４６に弾性を持たせたので、支持ブラケット４６や第１フラップ３５を不具合を生じることなくたわませることができる。このため、ドライバーなどの工具を用いることなくかつ側面部分を分解することなく第１フラップ３５を着脱できる。したがって、第１フラップ３５を容易に着脱できかつ室内機１０の取付場所の制限を少なくすることができる。
【００２９】
［他の実施形態］
（ａ）前記実施形態では、天井吊り形の室内機を例に説明したが、本発明は中間部が支持されているフラップを有する全ての空気調和装置に適用できる。たとえば、壁掛け形の室内機や天井埋め込み形の室内機、さらには窓用エアコン等の一体形の空気調和装置にも適用できる。
【００３０】
（ｂ）前記実施形態では、支持ブラケット４６をたわませることにより中間部材４２を取り外したが、支持ブラケットを吹き出し口の長辺方向に移動可能に配置して中間部材４２を取り外すようにしてもよい。この場合、中間部材４２を取り外すときに支持ブラケットを長辺方向に移動させればよい。
【００３１】
【発明の効果】
請求項１に係る空気調和装置では、輸送時などに装置を積み重ねて吹き出し口に荷重が作用しても、受け部と他方の長辺との僅かな隙間がなくなると板状の受け部で荷重を受けることができるので、輸送時などに荷重が作用しても装置が変形しない。また、中間支持部の他端と吹き出し口の他方の長辺との間に隙間があいているので、中間支持部を容易にたわませることができる。
【００３２】
請求項２に係る空気調和装置では、両端部で支持軸はそれぞれ異なる方向に突出しており、中間部ではいずれか一方に突出している。このため、少なくとも一つの支持軸が他と異なる方向に突出するので、風向変更羽根が吹き出し口から外れにくくなる。
【図面の簡単な説明】
【図１】  本発明の一実施例によるエアコンの天井吊り形の室内機の断面側面図。
【図２】  その断面平面図。
【図３】  図１の前部拡大部分図。
【図４】  第１フラップの着脱手順を示す正面図。
【符号の説明】
１０  室内機
２１  吹き出し口
３５  第１フラップ
４１  端部部材
４１ｃ  支持軸
４２  中間部材
４２ｃ  支持軸
４６  支持ブラケット
４６ｄ  受け部
【図１】
0003709777.tif 000002
【図２】
0003709777.tif 000003
【図３】
0003709777.tif 000004
【図４】
0003709777.tif 000005